【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、正の屈折力の第４レンズ群を有し、ズーミングに際して、各レンズ群が移動するズームレンズであって、前記第１レンズ群および前記第３レンズ群は広角端に比べて望遠端において物体側に位置するように移動し、前記第４レンズ群は物体側へ凸状の軌跡を描くように移動し、望遠端における前記第１レンズ群と前記第２レンズ群の間隔をＤＴ１２、望遠端における前記第２レンズ群と前記第３レンズ群の間隔をＤＴ２３、前記第１レンズ群の焦点距離をｆ１、前記第２レンズ群の焦点距離をｆ２、前記第３レンズ群の焦点距離をｆ３、広角端における全系の焦点距離をｆｗとするとき、
０．００＜ＤＴ２３／ＤＴ１２＜０．０６
６．５＜ｆ１／ｆｗ＜３０．０
−０．７５＜ｆ２／ｆ３＜−０．１０
なる条件式を満足することを特徴とするズームレンズ。
【請求項２】
−２．５＜ｆ２／ｆｗ＜−１．０
なる条件式を満足することを特徴とする請求項１に記載のズームレンズ。
【請求項３】
望遠端における前記第３レンズ群と前記第４レンズ群の間隔をＤＴ３４とするとき、
０．００＜ＤＴ２３／ＤＴ３４＜０．０８
なる条件式を満足することを特徴とする請求項１または２に記載のズームレンズ。
【請求項４】
前記第４レンズ群の焦点距離をｆ４とするとき、
０．１＜ｆ３／ｆ４＜０．８
なる条件式を満足することを特徴とする請求項１乃至３のいずれか１項に記載のズームレンズ。
【請求項５】
前記第４レンズ群の焦点距離をｆ４とするとき、
−０．５＜ｆ２／ｆ４＜−０．２
なる条件式を満足することを特徴とする請求項１乃至４のいずれか１項に記載のズームレンズ。
【請求項６】
前記第３レンズ群を構成するレンズの空気間隔の最大値をＤＬ３、前記第３レンズ群の厚みをＤＧ３とするとき、
０．２＜ＤＬ３／ＤＧ３＜０．５
なる条件式を満足することを特徴とする請求項１乃至５のいずれか１項に記載のズームレンズ。
【請求項７】
広角端と望遠端における前記第４レンズ群の横倍率をそれぞれβ４ｗ、β４ｔとするとき、
０．５＜β４ｔ／β４ｗ＜２．０
なる条件式を満足することを特徴とする請求項１乃至６のいずれか１項に記載のズームレンズ。
【請求項８】
広角端と望遠端における前記第２レンズ群の横倍率をそれぞれβ２ｗ、β２ｔとするとき、
２．０＜β２ｔ／β２ｗ＜６．０
なる条件式を満足することを特徴とする請求項１乃至７のいずれか１項に記載のズームレンズ。
【請求項９】
前記第１レンズ群は、物体側から像側へ順に、負レンズ、正レンズ、正レンズからなることを特徴とする請求項１乃至８のいずれか１項に記載のズームレンズ。
【請求項１０】
前記第３レンズ群は、物体側から像側へ順に、正レンズ、負レンズを含むことを特徴とする請求項１乃至９のいずれか１項に記載のズームレンズ。
【請求項１１】
前記第３レンズ群は、２枚の正レンズと１枚の負レンズを含むことを特徴とする請求項１乃至１０のいずれか１項に記載のズームレンズ。
【請求項１２】
前記第４レンズ群は、正レンズまたは正レンズと負レンズを貼りあわせた接合レンズからなることを特徴とする請求項１乃至１１のいずれか１項に記載のズームレンズ。
【請求項１３】
前記第３レンズ群を光軸に対して垂直方向の成分を持つ方向に移動させて、前記ズームレンズが振動したときの撮影画像のぶれを補正することを特徴とする請求項１乃至１２のいずれか１項に記載のズームレンズ。
【請求項１４】
固体撮像素子に像を形成することを特徴とする請求項１乃至１３のいずれか１項に記載のズームレンズ。
【請求項１５】
請求項１乃至１４のいずれか１項に記載のズームレンズと、該ズームレンズによって形成される像を受光する固体撮像素子とを有することを特徴とする撮像装置。
【手続補正２】
【補正対象書類名】明細書
【補正対象項目名】００１５
【補正方法】変更
【補正の内容】
【００１５】
本発明のズームレンズは、物体側より像側へ順に、正の屈折力の第１レンズ群、負の屈折力の第２レンズ群、正の屈折力の第３レンズ群、正の屈折力の第４レンズ群を有し、ズーミングに際して、各レンズ群が移動するズームレンズであって、前記第１レンズ群および前記第３レンズ群は広角端に比べて望遠端において物体側に位置するように移動し、前記第４レンズ群は物体側へ凸状の軌跡を描くように移動し、望遠端における前記第１レンズ群と前記第２レンズ群の間隔をＤＴ１２、望遠端における前記第２レンズ群と前記第３レンズ群の間隔をＤＴ２３、前記第１レンズ群の焦点距離をｆ１、前記第２レンズ群の焦点距離をｆ２、前記第３レンズ群の焦点距離をｆ３、広角端における全系の焦点距離をｆｗとするとき、
０．００＜ＤＴ２３／ＤＴ１２＜０．０６
６．５＜ｆ１／ｆｗ＜３０．０
−０．７５＜ｆ２／ｆ３＜−０．１０
なる条件式を満足することを特徴としている。
【手続補正３】
【補正対象書類名】明細書
【補正対象項目名】００４９
【補正方法】変更
【補正の内容】
【００４９】
これにより、可変頂角プリズム等の光学部材や防振のためのレンズ群を新たに付加することなく防振を行うようにし、光学系全体が大型化するのを防止している。なお、本実施形態では第３レンズ群Ｌ３を光軸に対して垂直方向に移動させて防振を行っているが、第３レンズ群Ｌ３を光軸に対して垂直な方向の成分を持つようにさえ移動させれば、画像のぶれを補正することができる。
【手続補正４】
【補正対象書類名】明細書
【補正対象項目名】００５９
【補正方法】変更
【補正の内容】
【００５９】
実施例４では最も像面側に像面に対してズーミング時に固定）の正の屈折力の第５レンズ群Ｌ５を配置している。又、実施例６では最も像面側に像面に対してズーミング時に固定の負の屈折力の第５レンズ群Ｌ５を配置している。第５レンズ群Ｌ５は像面湾曲などの諸収差の補正、前玉径の小型化、および、高ズーム比化を容易にしている。
【手続補正５】
【補正対象書類名】明細書
【補正対象項目名】００７３
【補正方法】変更
【補正の内容】
【００７３】
また、第３レンズ群Ｌ３を光軸に対して垂直方向の成分を持つように移動させ防振を行う場合、第３レンズ群Ｌ３の防振に対する敏感度が低くなるため、第３レンズ群Ｌ３の防振時における移動量が大きくなり、全体が大型化してくるので良くない。
【手続補正６】
【補正対象書類名】明細書
【補正対象項目名】００７４
【補正方法】変更
【補正の内容】
【００７４】
ここで防振に対する敏感度とは、第３レンズ群Ｌ３を単位量ＤＬ（例えば１ｍｍ）移動させたときの像点の光軸に対して垂直方向の変移量Ｍとの比Ｍ／ＤＬである。
【手続補正７】
【補正対象書類名】明細書
【補正対象項目名】００７６
【補正方法】変更
【補正の内容】
【００７６】
また高ズーム比化に伴い第２レンズ群Ｌ２の移動量が大きくなり、レンズ全長（第１レンズ面から像面までの距離）が増大してくる。さらに第３レンズ群の偏芯による光学性能の劣化に対する敏感度が高くなり、第３レンズ群Ｌ３を光軸と垂直方向の成分を持つように移動させて防振を行う場合、防振時における光学性能が劣化してくる。
【手続補正８】
【補正対象書類名】明細書
【補正対象項目名】００８４
【補正方法】変更
【補正の内容】
【００８４】
第３レンズ群Ｌ３を構成するレンズの空気間隔の最大値をＤＬ３、第３レンズ群の厚みをＤＧ３とする。
【手続補正９】
【補正対象書類名】明細書
【補正対象項目名】００９４
【補正方法】変更
【補正の内容】
【００９４】
このため、望遠端におけるレンズ全長が大きくなり、全系の小型化が困難になる。また、第２レンズ群Ｌ２および第３レンズ群Ｌ３が物理的に干渉しやすくなる。また、第４レンズ群Ｌ４でフォーカシングする場合、第４レンズ群Ｌ４のフォーカス敏感度が小さくなる。このため、レンズの間隔などによる誤差をフォーカシングで吸収する量が多くなり、フォーカシングのための移動量を多く必要とし、全系が大型化してくる。また、誤差吸収による第４レンズ群Ｌ４の位置の移動による光学性能が大きく劣化してくる。
【手続補正１０】
【補正対象書類名】明細書
【補正対象項目名】０１００
【補正方法】変更
【補正の内容】
【０１００】
さらに、第３レンズ群Ｌ３を光軸に対して垂直方向の成分を持つように移動させて防振を行う場合、第３レンズ群Ｌ３の防振に対する敏感度が低くなる。このため、第３レンズ群Ｌ３の防振時における移動量が大きくなり、全系が大型化してくる。
【手続補正１１】
【補正対象書類名】明細書
【補正対象項目名】０１２７
【補正方法】削除
【補正の内容】
【手続補正１２】
【補正対象書類名】明細書
【補正対象項目名】０１２９
【補正方法】変更
【補正の内容】
【０１２９】
［数値実施例１］
単位 mm
面データ
面番号       r        d      nd         νd
1         48.562    1.20   1.84666    23.9           
2         24.861    4.20   1.48749    70.2           
3       -322.030    0.20                             
4         22.336    2.80   1.77250    49.6           
5         70.138  (可変)                             
6*       220.348    1.10   1.85960    40.4           
7*         5.055    3.60                             
8        -11.343    0.65   1.58313    59.4           
9        259.998    0.20                             
10         18.720    1.60   1.92286    18.9           
11       -103.908  (可変)                             
12*         8.606    2.00   1.68540    52.3           
13        -88.984    1.30                             
14(絞り)    ∞       1.91                             
15         20.814    0.70   1.92286    18.9           
16          7.381    0.50                             
17         17.325    1.60   1.51742    52.4           
18        -17.325  (可変)                             
19*        16.501    2.10   1.68540    52.3           
20        -34.252    0.65   1.92286    18.9           
21       -101.656  (可変)                             
非球面データ
第6面
K =-4.36817e+003  A 4= 7.84461e-005  A 6=-1.11803e-006  A 8= 4.37742e-009  
第7面
K =-7.53573e-001  A 4= 3.38148e-004  A 6= 1.09789e-005  A 8= 5.57043e-008  
第12面
K = 3.10477e+000  A 4=-8.34539e-004  A 6=-3.11372e-005  A 8= 1.83787e-006
A10=-2.66664e-007  
第19面
K = 5.97792e+000  A 4=-1.62077e-004  A 6=-2.19872e-008  A 8=-1.24320e-007  
各種データ
ズーム比     10.31 
焦点距離       5.11    19.63    52.65    41.09     7.52  
Fナンバー      3.39     4.60     5.84     5.15     3.87  
画角          37.18    11.17     4.21     5.39    27.28  
像高           3.88     3.88     3.88     3.88     3.88  
レンズ全長    52.30    60.93    72.25    70.14    50.88  
BF             8.17    13.23     4.84     8.90    10.12  
d 5            0.70    12.62    20.31    19.25     2.04  
d11           14.38     2.43     1.20     1.00     8.52  
d18            2.75     6.35    19.59    14.68     3.90  
d21            7.01    12.07     3.68     7.74     8.96

ズームレンズ群データ
群  始面    焦点距離  
1    1      35.24  
2    6      -6.72  
3   12      13.68  
4   19      23.01  
【手続補正１３】
【補正対象書類名】明細書
【補正対象項目名】０１３０
【補正方法】変更
【補正の内容】
【０１３０】
［数値実施例２］
単位 mm
面データ
面番号       r        d      nd         νd
1         56.442    1.20   1.84666    23.9           
2         30.613    4.50   1.48749    70.2           
3       -145.984    0.20                             
4         24.934    2.80   1.69680    55.5           
5         69.079  (可変)                             
6*        55.305    1.55   1.84862    40.0           
7*         5.338    3.40                             
8        -12.484    0.60   1.77250    49.6           
9         54.683    0.20                             
10         16.904    1.50   1.92286    18.9           
11        -95.759  (可変)                             
12*         9.832    1.80   1.76753    49.3           
13       -125.855    1.00                             
14(絞り)    ∞       1.50                             
15         16.189    0.70   1.94595    18.0           
16          8.072    0.58                             
17         48.328    1.60   1.48749    70.2           
18        -13.136  (可変)                             
19*        15.762    2.50   1.58313    59.4           
20        -23.313    0.60   1.84666    23.9           
21        -76.868  (可変)                             
非球面データ
第6面
K = 0.00000e+000  A 8=-2.71167e-008  A10= 2.91406e-010  
第7面
K =-1.29019e+000  A 4= 9.02395e-004  A 6= 1.36547e-005  A 8=-1.79305e-008  
第12面
K =-1.65091e+000  A 4= 1.15345e-005  A 6= 4.90350e-006  A 8=-5.77855e-007
A10= 2.46059e-008  
第19面
K =-8.33205e+000  A 4= 2.53126e-004  A 6=-1.28096e-006  
各種データ
ズーム比     11.43 
焦点距離       5.12    20.92    58.56    46.77     8.98  
Fナンバー      3.50     4.56     5.51     5.14     3.93  
画角          35.69    10.49     3.79     4.74    23.35  
像高           3.68     3.88     3.88     3.88     3.88  
レンズ全長    56.59    66.32    77.41    75.50    57.95  
BF             6.34    12.79     7.75    10.30     9.24  
d 5            0.75    15.61    23.99    22.79     6.22  
d11           16.78     3.93     0.67     1.21     9.63  
d18            6.47     7.75    18.76    14.97     6.62  
d21            5.18    11.64     6.59     9.14     8.08

ズームレンズ群データ
群  始面    焦点距離  
1    1      40.49  
2    6      -6.65  
3   12      13.30  
4   19      27.30  
【手続補正１４】
【補正対象書類名】明細書
【補正対象項目名】０１３１
【補正方法】変更
【補正の内容】
【０１３１】
［数値実施例３］
単位 mm
面データ
面番号       r        d      nd         νd
1         46.100    1.20   1.84666    23.9           
2         24.294    4.10   1.48749    70.2           
3       -533.604    0.20                             
4         23.154    2.80   1.77250    49.6           
5         78.257  (可変)                             
6*       137.194    1.10   1.85960    40.4           
7*         4.989    3.50                             
8        -11.597    0.65   1.60311    60.6           
9        113.625    0.20                             
10         17.794    1.60   1.92286    18.9           
11       -128.482  (可変)                             
12(絞り)    ∞       0.50                             
13*         8.505    2.00   1.68540    52.3           
14        -88.984    3.13                             
15         18.584    0.70   1.92286    18.9           
16          7.186    0.50                             
17         16.972    1.50   1.51742    52.4           
18        -21.703  (可変)                             
19*        16.149    2.40   1.68540    52.3           
20        -25.089    0.60   1.92286    18.9           
21        -54.039  (可変)                             
非球面データ
第6面
K = 1.44609e+001  A 4= 3.70710e-005  A 6=-1.29006e-006  A 8= 9.45173e-009  
第7面
K =-6.46572e-001  A 4= 2.80717e-004  A 6= 7.91116e-006  A 8=-2.52287e-008  
第13面
K = 3.41865e+000  A 4=-9.21812e-004  A 6=-3.48871e-005  A 8= 1.25417e-006
A10=-2.66664e-007  
第19面
K = 4.70183e+000  A 4=-1.49494e-004  A 6= 1.35226e-007  A 8=-8.47311e-008  
各種データ
ズーム比     10.30 
焦点距離       5.11    16.20    52.65    37.05     7.45  
Fナンバー      3.39     4.16     5.35     4.65     3.74  
画角          37.17    13.45     4.21     5.97    27.49  
像高           3.88     3.88     3.88     3.88     3.88  
レンズ全長    52.42    60.03    73.59    70.77    50.71  
BF             7.78    12.76     6.67    10.40    10.08  
d 5            0.70    10.97    20.82    19.01     1.68  
d11           13.60     2.86     0.50     0.76     7.66  
d18            3.65     6.76    18.92    13.92     4.61  
d21            6.49    11.47     5.38     9.10     8.79

ズームレンズ群データ
群  始面    焦点距離  
1    1      35.49  
2    6      -6.53  
3   12      13.75  
4   19      20.24  
【手続補正１５】
【補正対象書類名】明細書
【補正対象項目名】０１３２
【補正方法】変更
【補正の内容】
【０１３２】
［数値実施例４］
単位 mm
面データ
面番号       r        d      nd         νd
1         47.493    1.20   1.84666    23.9           
2         24.370    4.20   1.48749    70.2           
3       -261.849    0.20                             
4         22.346    2.80   1.77250    49.6           
5         72.489  (可変)                             
6*       179.521    1.20   1.85960    40.4           
7*         5.066    3.60                             
8        -10.829    0.65   1.58313    59.4           
9        102.210    0.20                             
10         18.849    1.60   1.92286    18.9           
11        -88.665  (可変)                             
12*         8.613    2.00   1.68540    52.3           
13        -88.984    1.30                             
14(絞り)    ∞       1.90                             
15         19.090    0.70   1.92286    18.9           
16          7.413    0.50                             
17         20.593    1.60   1.51742    52.4           
18        -20.593  (可変)                             
19*        16.542    2.10   1.68540    52.3           
20        -26.247    0.65   1.92286    18.9           
21        -66.702  (可変)                             
22       -124.575    1.30   1.51633    64.1           
23        -54.482  (可変)                             
非球面データ
第6面
K =-2.60799e+003  A 4= 8.89173e-005  A 6=-1.21653e-006  A 8= 4.09157e-009  
第7面
K =-6.60842e-001  A 4= 2.98790e-004  A 6= 1.11252e-005  A 8= 1.10444e-007  
第12面
K = 3.13668e+000  A 4=-8.35642e-004  A 6=-3.08920e-005  A 8= 1.76517e-006
A10=-2.66664e-007  
第19面
K = 5.36390e+000  A 4=-1.54107e-004  A 6= 6.45448e-008  A 8=-9.79706e-008  
各種データ
ズーム比     10.31 
焦点距離       5.11    19.80    52.65    41.71     7.44  
Fナンバー      3.39     4.66     5.14     4.83     3.89  
画角          37.20    11.07     4.21     5.31    27.51  
像高           3.88     3.88     3.88     3.88     3.88  
レンズ全長    52.28    61.29    71.68    69.83    51.07  
BF             5.71     5.71     5.71     5.71     5.71  
d 5            0.70    12.17    20.41    19.15     1.78  
d11           13.83     2.31     0.51     0.50     8.32  
d18            1.81     4.82    15.79    11.83     2.82  
d21            2.53     8.57     1.55     4.94     4.73  
d23            4.55     4.55     4.55     4.55     4.55

ズームレンズ群データ
群  始面    焦点距離  
1    1      34.33  
2    6      -6.47  
3   12      14.13  
4   19      21.82  
5   22     186.36  
【手続補正１６】
【補正対象書類名】明細書
【補正対象項目名】０１３３
【補正方法】変更
【補正の内容】
【０１３３】
［数値実施例５］
単位 mm
面データ
面番号       r        d      nd         νd
1         35.420    1.20   1.80518    25.4           
2         23.694    4.60   1.48749    70.2           
3        101.691    0.20                             
4         27.989    3.00   1.69680    55.5           
5         70.601  (可変)                             
6*       424.632    1.10   1.85960    40.4           
7*         5.051    4.18                             
8        -11.688    0.80   1.69680    55.5           
9        -34.798    0.20                             
10         27.287    1.80   1.92286    18.9           
11        -52.859  (可変)                             
12(絞り)    ∞      -0.20                             
13*         8.560    2.50   1.68540    52.3           
14        -45.840    2.77                             
15         24.534    0.76   1.92286    18.9           
16          6.941    0.50                             
17         13.835    1.70   1.69680    55.5           
18        -23.089  (可変)                             
19*        18.124    2.20   1.69350    53.2           
20       -160.163  (可変)                             
非球面データ
第6面
K =-4.49652e+004  A 4= 1.06321e-004  A 6=-1.55003e-006  A 8= 7.91875e-009  
第7面
K =-7.34115e-001  A 4= 1.12003e-004  A 6= 1.23574e-005  A 8=-1.69913e-007  
第13面
K = 2.96284e+000  A 4=-8.34192e-004  A 6=-2.80046e-005  A 8= 1.68691e-006
A10=-2.66664e-007  
第19面
K = 9.10560e+000  A 4=-2.73974e-004  A 6= 4.44006e-006  A 8=-2.70039e-007  
各種データ
ズーム比      8.01 
焦点距離       4.38     7.62    35.10    18.33     5.86  
Fナンバー      3.40     3.90     5.85     5.18     3.55  
画角          41.50    26.96     6.30    11.94    33.46  
像高           3.88     3.88     3.88     3.88     3.88  
レンズ全長    53.81    53.20    74.81    67.30    50.90  
BF             4.65     6.04     2.26     3.38     6.22  
d 5            0.80     5.31    25.65    17.75     2.56  
d11           16.01     7.52     0.98     3.67     9.99  
d18            5.05     7.03    18.62    15.19     4.82  
d20            3.49     4.88     1.10     2.22     5.06

ズームレンズ群データ
群  始面    焦点距離  
1    1      50.53  
2    6      -7.47  
3   12      12.08  
4   19      23.60  
【手続補正１７】
【補正対象書類名】明細書
【補正対象項目名】０１３４
【補正方法】変更
【補正の内容】
【０１３４】
［数値実施例６］
単位 mm
面データ
面番号       r        d      nd         νd
1         35.154    1.20   1.80518    25.4           
2         23.910    4.60   1.48749    70.2           
3        104.921    0.20                             
4         28.022    3.00   1.69680    55.5           
5         66.714  (可変)                             
6*       141.854    1.10   1.85960    40.4           
7*         5.066    4.36                             
8        -11.688    0.80   1.69680    55.5           
9        -36.194    0.20                             
10         28.062    1.80   1.92286    18.9           
11        -55.338  (可変)                             
12(絞り)    ∞      -0.20                             
13*         8.903    2.50   1.68540    52.3           
14        -41.123    3.02                             
15         23.473    0.76   1.92286    18.9           
16          6.940    0.50                             
17         12.648    1.70   1.69680    55.5           
18        -32.555  (可変)                             
19*        16.307    2.20   1.68540    52.3           
20        -44.972  (可変)                             
21        -91.464    0.60   1.69680    55.5           
22         92.915  (可変)                             
非球面データ
第6面
K =-1.46574e+003  A 4= 8.10927e-005  A 6=-1.03070e-006  A 8= 4.68000e-009  
第7面
K =-7.21778e-001  A 4= 9.68862e-005  A 6= 9.30949e-006  A 8=-7.11366e-008  
第13面
K = 2.92555e+000  A 4=-7.37954e-004  A 6=-2.56766e-005  A 8= 2.18221e-006  A10=
-2.66664e-007  
第19面
K = 5.79008e+000  A 4=-2.56772e-004  A 6= 4.16766e-006  A 8=-1.99073e-007  
各種データ
ズーム比      8.04 
焦点距離       4.37     7.69    35.10    18.50     5.95  
Fナンバー      3.40     3.91     5.69     5.14     3.60  
画角          41.58    26.73     6.30    11.83    33.06  
像高           3.88     3.88     3.88     3.88     3.88  
レンズ全長    55.70    54.78    76.69    68.92    52.62  
BF             2.71     2.71     2.71     2.71     2.71  
d 5            0.80     5.19    25.68    17.73     2.39  
d11           17.08     7.98     0.97     3.86    10.58  
d18            5.66     8.26    18.35    15.41     6.37  
d20            1.10     2.29     0.64     0.85     2.23  
d22            1.55     1.55     1.55     1.55     1.55

ズームレンズ群データ
群  始面    焦点距離  
1    1      50.84  
2    6      -7.47  
3   12      12.37  
4   19      17.72  
5   21     -66.06